(57)【要約】【課題】重量が比較的大きい照明器具を取り付けることができるようにしながらも、部品点数の増加がない引掛シーリングを提供する。【解決手段】ボディ１１は天井面Ｃに固定され、照明器具２に設けた引掛栓刃が接続される。ボディ１１の下端部外側面には鍔状片１０が全周に亙って突設される。照明器具２に設けたスライド部材９が鍔状片１０に係止されることによって、照明器具２が引掛シーリング１に結合される。【選択図】図１
2006032368.tif 000002
【特許請求の範囲】
【請求項１】
施工面に固定される器体と、引掛栓刃を保持する引掛刃受部と、外部電線が接続されるとともに引掛刃受部に電気的に接続された端子とを備え、前記端子が、それぞれ端子片を備える一対の端子板と、各端子片に対向する接触片および鎖錠片を備え接触片および鎖錠片と各端子片との間にそれぞれ外部電線を挟持する一対の鎖錠ばねとを備え、器体における施工面に交差する方向の外周面の全周に亙って器体の先端面側が施工面側よりも外側に突出し照明器具の一部と凹凸係合する鍔状片が形成されていることを特徴とする引掛シーリング。
【請求項２】
前記一対の鎖錠片に当接する一対の押圧片を備えるとともに押されると鎖錠片を端子片から引き離す向きに撓ませる解除釦を備えることを特徴とする請求項１記載の引掛シーリング。
【請求項３】
前記引掛刃受部が前記端子片から延長されていることを特徴とする請求項１または請求項２記載の引掛シーリング。
【請求項４】
前記器体は、施工面からの突出部位の突出高さが２３ｍｍ、直径が６５ｍｍの円柱の範囲内に形成され、前記鍔状片は施工面に直交する方向の厚み寸法が３ｍｍ以上であることを特徴とする請求項１ないし請求項３のいずれかに記載の引掛シーリング。
【請求項５】
前記器体は施工面に埋め込まれた埋込ボックスに固定される取付金具に結合され、前記器体における施工面側には埋込ボックスを覆う覆い部が形成されていることを特徴とする請求項１ないし請求項４のいずれかに記載の引掛シーリング。
【請求項６】
施工面側から導入される外部電線に接続される端子を器体内に備え、端子と前記取付金具との距離が６ｍｍ以上離れていることを特徴とする請求項５記載の引掛シーリング。
【請求項７】
請求項１ないし請求項６のいずれか１項に記載の引掛シーリングと、この引掛シーリングの鍔状片に凹凸係合するスライド部材を備えた照明器具とを備えることを特徴とする照明装置。
【発明の詳細な説明】
【技術分野】
【０００１】
本発明は、引掛栓刃を接続可能な引掛シーリングおよび照明装置に関するものである。
【背景技術】
【０００２】
従来より、天井面等の施工面に取り付けられるとともに、照明器具に設けた引掛栓刃を接続する引掛刃受部を備える引掛シーリングが提供されている。
【０００３】
ところで、近年では天井面付近に配置した形で取り付けられる照明器具が提供されており、この種の照明器具は洋室、和室にかかわらず違和感なく使用することができるデザインを得やすく、使用者自身で取付、交換が可能であり、また昆虫の入りにくい構造を容易に実現できるなどの利点を有している。
【０００４】
この種の照明器具を引掛シーリングに取り付ける構造も各種提案されており、もっとも簡単な構造としては、引掛シーリングの引掛刃受部に接続される引掛栓刃を照明器具に設け、引掛栓刃と引掛刃受部との結合のみによって引掛シーリングと照明器具との機械的結合を行なうものがある。
【０００５】
しかしながら、この構成では、引掛シーリングと照明器具との機械的な結合箇所が引掛シーリングの中心付近の２箇所のみになり、大型の照明器具ではぐらつきやすく十分に固定することができないという問題がある。また、引掛刃受部だけで照明器具の荷重を支えることになるから、重量が比較的大きな照明器具には適用することができない。重量が比較的小さい場合でも、照明器具の重量を引掛刃受部のみで支持していると、経年的には引掛刃受部に変形を生じることがあり、接触不良につながることがある。
【０００６】
これに対して、図４８に示す構成では、引掛シーリング１と照明器具２との間にアダプタ３を設けてある（たとえば、特許文献１参照）。つまり、この構成では、図４９のように、アダプタ３に突設した引掛栓刃４を引掛シーリング１に機械的および電気的に結合し、アダプタ３の外周面に形成した係止段部５に対して、照明器具２に設けたスライド部材９を係合させている。照明器具２と引掛シーリング１との電気的な接続は、アダプタ３に設けた接続線７を介して行なわれる。したがって、照明器具２をアダプタ３の外周に結合することで照明器具２の固定箇所の面積を広げて照明器具２のぐらつきを防止することができる。
【０００７】
しかしながら、この構成においても照明器具の荷重は引掛刃受部によってのみ支持されており、電気用品取締法によれば５ｋｇを超える荷重が電気的接続部に加わらないようにしなければならないから、重量が比較的大きい照明器具２には適用することができない。また、引掛刃受部の経年的変化のおそれもある。しかも、アダプダ３を引掛シーリング１に取り付ける作業が必要になるから、取付作業には手間がかかるものである。さらに、引掛シーリング１と照明器具２との間には、引掛シーリング１とアダプタ３との結合およびアダプタ３と照明器具２との結合の２箇所の結合箇所があるから、２箇所のうちの一方でも結合状態が不完全であると照明器具２の落下のおそれが生じ、安全性の確保にはアダプタ３を設けない場合に比較してより一層の注意が必要になる。また、製品としてはアダプタ３を照明器具２に同梱して販売しなければならないから、照明器具２の販売価格が上昇することになる。加えて、引掛シーリング１と照明器具２との間にアダプタ３が存在することにより、天井面からの照明器具２の突出寸法が大きくなる。とくに、直管形ランプを用いた照明器具２ではランプをアダプタ３と同じ面内に配置することができないから、照明器具２の天井面からの突出寸法を小さくすることが困難である。
【０００８】
重量の比較的大きい照明器具に適用することができる引掛シーリング１としては、図５０に示すように取付金具８により照明器具２の荷重を受けるものがある（たとえば、特許文献２参照）。この構成では引掛シーリング１に設けた取付金具８に対して、照明器具２に設けたスライド部材９を係合させるものであって、照明器具２が引掛シーリング１の周部で結合されることによって照明器具２をぐらつくことなく支持することができ、しかも、照明器具２の荷重を取付金具８で受けるから重量が比較的大きい照明器具２にも適用することが可能になる。また、この構成ではアダプタが不要であるから、取付作業の手間は少ない。
【特許文献１】特開平７−３７４１７号公報
【特許文献２】特開平６−２６７３２２号公報
【発明の開示】
【発明が解決しようとする課題】
【０００９】
しかしながら、上記構成では引掛シーリング１に取付金具８を設けなければ重量の大きい照明器具２を取り付けることができないから、引掛シーリング１の部品コストが増加することになる。
【００１０】
本発明は上記事由に鑑みて為されたものであり、その目的は、重量が比較的大きい照明器具を取り付けることができるようにしながらも、部品点数の増加がない引掛シーリングを提供し、またこの引掛シーリングを用いた照明装置を提供することにある。
【課題を解決するための手段】
【００１１】
請求項１の発明は、施工面に固定される器体と、引掛栓刃を保持する引掛刃受部と、外部電線が接続されるとともに引掛刃受部に電気的に接続された端子とを備え、前記端子が、それぞれ端子片を備える一対の端子板と、各端子片に対向する接触片および鎖錠片を備え接触片および鎖錠片と各端子片との間にそれぞれ外部電線を挟持する一対の鎖錠ばねとを備え、器体における施工面に交差する方向の外周面の全周に亙って器体の先端面側が施工面側よりも外側に突出し照明器具の一部と凹凸係合する鍔状片が形成されているものである。
【００１２】
この構成によれば、アダプタや取付金具のような別途の部品を用いることなく重量の大きい照明器具を取り付けることが可能になり、施工作業が容易になって施工性がよく、しかも部品点数が少ないからコスト増を抑制することができる。さらには、照明器具との機械的結合箇所を引掛栓刃以外に設けているから、照明器具と確実に結合されているか否かを確認しやすく、照明器具の落下事故を防止しやすいとともに、引掛栓刃でのみ照明器具の荷重を支持するのではないから、引掛栓刃の経年的な変形を防止することができ、結果的に電気的接続部の信頼性が向上する。さらに、アダプタを設ける場合に比較すると施工面からの照明器具の突出寸法を小さくすることができ、また直管多灯の照明器具にも対応しやすくなる。加えて、器体の全周に亙って形成された鍔状片によって照明器具の荷重を支持するから、照明器具側において鍔状片に係合させる部材の位置の制限が少なく、照明器具の設計が容易になる。
【００１３】
請求項２の発明は、請求項１の発明において、前記一対の鎖錠片に当接する一対の押圧片を備えるとともに押されると鎖錠片を端子片から引き離す向きに撓ませる解除釦を備えるものである。
【００１４】
請求項３の発明は、請求項１または請求項２の発明において、前記引掛刃受部が前記端子片から延長されているものである。
【００１５】
請求項４の発明は、請求項１ないし請求項３の発明において、前記器体が、施工面からの突出部位の突出高さが２３ｍｍ、直径が６５ｍｍの円柱の範囲内に形成され、前記鍔状片の施工面に直交する方向の厚み寸法を３ｍｍ以上としたものである。
【００１６】
この構成によれば、器体が小型であって器体の強度が大きくなるとともに、鍔状片の厚み寸法が３ｍｍ以上であることによって許容される荷重が５ｋｇ以上になる。
【００１７】
請求項５の発明は、請求項１ないし請求項４の発明において、前記器体が施工面に埋め込まれた埋込ボックスに固定される取付金具に結合され、前記器体における施工面側には埋込ボックスを覆う覆い部が形成されているものである。
【００１８】
この構成によれば、集合住宅のように施工面に埋込ボックスが埋め込まれている場合でも適用することができ、しかも覆い部が埋込ボックスを覆うから美麗に施工することができる。
【００１９】
請求項６の発明は、請求項５の発明において、施工面側から導入される外部電線に接続される端子を器体内に備え、端子と前記取付金具との距離が６ｍｍ以上離れているものである。
【００２０】
この構成によれば、施工面に一面を当接させた形で露出形として取り付けるようにしながらも電気用品法の規定を満足することができる。つまり、露出形であるから施工面のどの位置にも取り付けることが可能であって施工が容易になる。
【００２１】
請求項７の発明は、照明装置であって、請求項１ないし請求項６のいずれか１項に記載の引掛シーリングと、この引掛シーリングの鍔状片に凹凸係合するスライド部材を備えた照明器具とを備えることを特徴とする。
【発明の効果】
【００２２】
本発明の構成によれば、アダプタや取付金具のような別途の部品を用いることなく重量の大きい照明器具を取り付けることが可能になり、施工作業が容易になって施工性がよく、しかも部品点数が少ないからコスト増を抑制することができる。さらには、照明器具との機械的結合箇所を引掛栓刃以外に設けているから、照明器具と確実に結合されているか否かを確認しやすく、照明器具の落下事故を防止しやすいとともに、引掛栓刃でのみ照明器具の荷重を支持するのではないから、引掛栓刃の経年的な変形を防止することができ、結果的に電気的接続部の信頼性が向上する。さらに、アダプタを設ける場合に比較すると施工面からの照明器具の突出寸法を小さくすることができ、また直管多灯の照明器具にも対応しやすくなる。加えて、器体の全周に亙って形成された鍔状片によって照明器具の荷重を支持するから、照明器具側において鍔状片に係合させる部材の位置の制限が少なく、照明器具の設計が容易になる。
【発明を実施するための最良の形態】
【００２３】
（第１の実施の形態）
図２ないし図９は施工面としての天井面に器体１の上面を当接させた形で設置される引掛シーリングを示している。引掛シーリングは、器体となる上面が開口した有底円筒状のボディ１１と、ボディ１１の上面側からボディ１１内に挿入される矩形状の端子カバー１２とを備え、ボディ１１と端子カバー１２とは、打込鋲１３により結合される。ボディ１１およびカバー１２は熱硬化性樹脂であるメラミンフェノール樹脂ないしポリエステル樹脂の成形品であって難燃性を有している。ボディ１１の底壁内側面には図６のように一対のボス１４が突設され、ボス１４の上に端子カバー１２を載置した状態で端子カバー１２を通して打込鋲１３をボス１４に打込むことによりボディ１１と端子カバー１２とが結合される。ここで、両ボス１４の上に端子カバー１２を載置したときに、ボディ１１の上面よりも端子カバー１２の上面のほうが下方に位置するように、ボディ１１と端子カバー１２とボス１４との寸法関係が設定されている（図７参照）。
【００２４】
ボディ１１の周壁内周面の２箇所には筒部１１ａが形成され、筒部１１ａには器体１の上下に貫通する挿通孔１５が形成されている。挿通孔１５には器体１の下面側から固定ねじ（図示せず）が挿入され、この固定ねじの上端部を天井面に螺入することによって、器体１を天井面に固定することができる。
【００２５】
ボディ１１の内部はボディ１１の底壁内側面に突設された仕切壁１６により２分され、端子板収納室１７が２室形成されている。仕切壁１６はボディ１１の内部を２分する分離片１６ａを備え、仕切壁１６の一端部には支持リブ１６ｂが両側方に突設され、他端部には支持リブ１６ｂに対応した受け片１６ｃが両側方に突設される。さらに、ボディ１１の底壁内側面には支持リブ１６ｂに対して分離片１６ａの反対側に突台１８が突設されている。突台１８は、分離片１６ａに対向する中央台１８ａと、中央台１８ａの両側に延設され水平断面Ｌ字状であって先端部が分離片１６ａ側に延長されたガイドリブ１８ｂとを連続一体に備える。各突台１８の一方のガイドリブ１８ｂはそれぞれボス１４に連続している。また、中央台１８ａはガイドリブ１８ｂよりも高さ寸法が大きくなっている。ガイドリブ１８ｂは受け片１６ｃと高さ寸法がほぼ等しく、ボス１４とともに端子カバー１２を支持する。したがって、端子カバー１２は多箇所で支持され、ぐらつかないように固定される。
【００２６】
各端子板収納室１７に対応する部位においてボディ１１の底壁の周部には引掛栓刃が挿入される引掛栓刃挿入口１９がそれぞれ１個ずつ開口する。両引掛栓刃挿入口１９はボディ１１の底壁の中心を中心とする一つの円弧上に形成され、それぞれ弧状に形成されている。各引掛栓刃挿入口１９は図３におけるボディ１１の中心から見たときの左端部に他の部位よりも幅の広い幅広部１９ａを備える。幅広部１９ａは他の部位である幅狭部１９ｂに対して内向きに突出する形で引掛栓刃挿入口１９の幅を広げている。先端部がＬ字状である引掛栓刃を引掛栓刃挿入口１９に挿入するには、引掛栓刃を幅広部１９ａから引掛栓刃挿入口１９に挿入した後に図３における右回りに回転させ、引掛栓刃の先端部を引掛栓刃挿入口１９の幅狭部１９ｂの周縁に重複させる。引掛栓刃挿入口１９の幅狭部１９ｂには端子板２０に電気的に接続された引掛刃受部２２が対応しており、引掛栓刃の先端部が幅狭部１９ｂに導入されると、引掛栓刃の先端部が引掛刃受部２２に保持される。
【００２７】
端子板２０は板金により形成されたものであり、ボディ１１の底壁内側面に立設された形で配置される端子片２０ａと、端子片２０ａから延長された引掛刃受部２２とを備える。引掛刃受部２２は、上下２枚の刃受板２２ａ，２２ｂを重ね合わせたものであって、刃受板２２ａ，２２ｂの一端部は引掛栓刃挿入口１９に沿って配置される。また、両刃受板２２ａ，２２ｂの上記一端部において引掛栓刃挿入口１９の幅広部１９ａに臨む部位は端部側で互いに距離を広げることにより引掛栓刃を両刃受板２２ａ，２２ｂの間に導入しやすくしてある。
【００２８】
端子板２０における端子片２０ａは分離片１６ａおよび支持リブ１６ｂに当接し、さらに端子板２０の一部がボディ１１の底壁内側面に立設された止めリブ１６ｄに当接することによって、端子板２０がボディ１１内の定位置に固定される。また、受け片１６ｃと端子片２０ａとの間には鎖錠ばね３２が配設される。鎖錠ばね３２は帯板の一端部をＳ字状に屈曲させて接触片３２ａを形成し、他端部をＪ字状に屈曲させて鎖錠片３２ｂを形成したものを用いてあり、接触片３２ａと鎖錠片３２ｂとが端子片２０ａに対向するように配置される。しかして、図４に示すように外部電線Ｌ（図８参照）を器体１に導入するために端子カバー１２に形成した電線挿入口３３を通して鎖錠片３２ｂ側から外部電線Ｌを導入すれば、接触片３２ａおよび鎖錠片３２ｂと端子片２０ａとの間に外部電線Ｌを挟持することができ、このとき接触片３２ａが外部電線Ｌに接触して電気的接続状態を確保し、鎖錠片３２ｂの先端縁が外部電線Ｌに食い込んで外部電線Ｌを抜けないように保持する。上述のように外部電線Ｌを接続する端子は、鎖錠ばね３２を用いたいわゆる速結端子構造を有している。
【００２９】
ところで、端子片２０ａと鎖錠ばね３２とを用いて保持した外部電線Ｌを取り外すために、ボディ１１内には解除釦３１が配置される。解除釦３１は突台１８の内側面に沿って仕切壁１６の長手方向に摺動可能となるように配置される。解除釦３１は端子カバー１２に設けた操作用切欠１２ｂと突台１８の中央台１８ａとの間に露出する操作部３１ａを備え、鎖錠片３２ｂの一部に当接する一対の押圧片３１ｂを備える。すなわち、解除釦３１は仕切壁１６の両側に位置する一対の押圧片３１ｂを操作部３１ａを介して連続一体に連結した形状に形成され、押圧片３１ｂの先端部は鎖錠片３２ｂに当接する。また、押圧片３１ｂは端子板２０の端子片２０ａに設けた挿入用切欠２０ｂを通して進退する。
【００３０】
しかして、外部電線Ｌを保持されている状態で、操作用切欠１２ｂと中央台１８ａとに囲まれた部位にマイナスドライバの先端部などを挿入し、操作部３１ａを押せば、押圧片３１ｂが鎖錠ばね３２の鎖錠片３２ｂを端子片２０ａから引き離す向きに撓ませるから、鎖錠片３２ｂが外部電線Ｌから外れ、外部電線Ｌをそのまま引き抜くことができる。ここで、解除釦３１は両端子板２０に跨がる形で配置されており、異極の２個の鎖錠ばね３２の鎖錠片３２ｂを同時に撓ませるから、電源側の２本の外部電線Ｌを同時に外すことが可能であり、操作性がよい。本実施形態における引掛シーリングは、図８に示すように、天井面Ｃにボディ１１の上面を当接させた形で挿通孔１５を通して天井面Ｃに螺入する固定ねじ（図示せず）を用いて固定されるのであって、天井面Ｃに外部電線Ｌを通すための通し孔Ｈを形成するだけで容易に施工設置することができる。
【００３１】
ところで、ボディ１１の周壁外周面の下端部には係止段部を形成する鍔状片１０が全周に亙って突設される。ボディ１１の上部外周面および鍔状片１０の水平断面は円形であって、ボディ１１は、直径φ（図５参照）が６５ｍｍ以下、高さｈが２３ｍｍ以下の円柱の範囲内に収まるように形成されている。本実施形態ではボディ１１の最大径は鍔状片１０の外径になるから、鍔状片１０の外径を６５ｍｍ以下とする。
【００３２】
上述のように構成された引掛シーリング１に照明器具を取り付けて照明装置を構成するには、図１、図１０に示すように、照明器具２に設けたスライド部材９の先端部を鍔状片１０の上面に係止する。ここに、スライド部材９は鍔状片１０の上に係止される位置と鍔状片１０から外れる位置との間で引掛シーリング１の直径方向に移動自在である係止爪９ａと、係止爪９ａを鍔状片１０の上に係止される位置に付勢する復帰ばね９ｂとを備える。したがって、係止爪９ａを鍔状片１０に係止させることにより、この部位で照明器具２が引掛シーリング１に対して機械的に保持されることになる。ここで、鍔状片１０の上下方向の厚み寸法ｔ（図５参照）は３ｍｍ以上に設定されており、ボディ１１を上述の熱硬化性合成樹脂により形成するとともに、上記寸法に形成することによって、１０ｋｇ程度の荷重でも支持することが可能になる。
【００３３】
上述した構成によって、照明器具２の荷重を電気的接続部である引掛刃受部２２のみで受けるのではなく、ボディ１１に形成した鍔状片１０でも受けるから、電気用品法に規定された電気的接続部に５ｋｇ以上の荷重が加わらないようにするという条件を満たしながらも、５ｋｇ以上の重量の照明器具２を取り付けることが可能になるのである。また、照明器具２との機械的結合部分が引掛刃受部２２のみではなく引掛シーリング１の周部にも機械的結合部を設けることになるから、照明器具２を固定する強度が大きくなり、照明器具２をぐらつかないように固定することができる。
【００３４】
（第２の実施の形態）
本実施形態は、図１１ないし図１７に示すように、第１の実施の形態における端子に送り配線用の接続部を付加したものである。基本的な構成は第１の実施の形態と同様であるから、第１の実施の形態と共通する構成については説明を省略し、以下では主な相違点についてのみ説明する。なお、図中において第１の実施の形態と同じ部材には同符号を付してある。
【００３５】
本実施形態では、端子カバー１２２が円板状であって、タッピンねじである組立ねじ１３２によりボディ１１２に結合される。端子カバー１２２の周部の２箇所には切欠１２２ａが形成され、ボディ１１２の周部内側面に設けた筒部１１２ａに切欠１２２ａが嵌合することによってボディ１１２と端子カバー１２２とが位置決めされるようになっている。
ボディ１１２の内部を２分するようにボディ１１２の底壁内側面に突設された仕切壁１６２は、分離片１６２ａの長手方向の中央部に受け片１６２ｃを有し、分離片１６２ｃの両端部にそれぞれ支持リブ１６２ｂを備えている。
【００３６】
本実施形態で用いる各端子板２０２は、それぞれ支持リブ１６２ｂに当接する一対の端子片２０２ａと、両端子片２０２ａを連結する連結片２０２ｃとによりコ字状に形成されている。また、連結片２０２ｃの下縁にはボディ１１２の底壁内側面に沿って配置されるかしめ片２０２ｄが突設される。
【００３７】
連結片２０２ｃは分離片１６２ａの各側面に設けた受け片１６２ｃの先端面に当接するように配置され、分離片１６２ａから一定の距離に保たれる。また、端子片２０２ａはボディ１１２の底壁内側面に突設された止めリブ１６２ｄにも当接する。さらに、端子片２０２ａは分離片１６２ａに当接するとともに分離片１６２ａの長手方向の両端部に設けた支持リブ１６２ｂにも当接する。したがって、分離片１６２ａ、支持リブ１６２ｂ、受け片１６２ｃ、止めリブ１６２ｄにより端子板２０２がボディ１１２内の定位置に固定されることになる。かしめ片２０２ｄには引掛刃受部２２２がかしめ鋲２３２を用いて結合される。引掛刃受部２２２の構造は第１の実施の形態と同様であって、一対の刃受板を対向させた形に形成される。
【００３８】
端子板２０２における各端子片２０２ａは、受け片１６２ｃに対して所定距離を隔てて対向しており、受け片１６２ｃと端子片２０２ａとの間に鎖錠ばね３２が配設される。この構成によって、同じ端子板２０２に対応するように設けた一対の鎖錠ばね３２は受け片１６２ｃを背にして互いに逆向きにばね力を作用させることになる。
【００３９】
ボディ１１２には分離片１６２ａを介して一対の端子板２０２が配置され、各端子板２０２には一対の端子片２０２ａが設けられているから、鎖錠ばね３２は４個設けられ、電線挿入口３３２も４個設けられることになる。ただし、同じ端子板２０２に設けた２個の端子片２０２ａは連結片２０２ｃを介して電気的に接続されているから、図１３において上下に並ぶ電線挿入口３３２の一方を用いて電源側からの外部電線を接続し、他方の電線挿入口３３２を用いて接続される外部電線を用いて他の引掛シーリングなどへの送り配線が可能になる。たとえば、複数個の引掛シーリングを並設する場合には、いずれかの引掛シーリングに電源からの外部電線Ｌを接続し、隣接する各一対の引掛シーリング間で送り配線を行なえば、複数個の引掛シーリングを並列接続することができる。図１６はこのような接続状態を示しており、図１６における２本の外部電線Ｌのうちの一方は電源側、他方は送り配線側を示す。
【００４０】
解除釦３１は分離片１６２ａを介して隣接する一対の鎖錠ばね３２を一括して操作するように配置され、本実施形態では二対の鎖錠ばね３２を設けているから、２個の解除釦３１が配置される。各解除釦３１の押圧片３１ｂは、端子板２０２に設けた挿入用切欠２０２ｂに通される。また、端子カバー１２はボディ１２の上面側の開口をほぼ前面に亙って覆うものであり、直径方向の両端部に操作用切欠１２２ｂがそれぞれ形成されている。他の構成および動作は第１の実施の形態と同様であって、本実施形態においても鍔状片１０を設けることによって、照明器具２の荷重の一部を鍔状片１０で受けるようになっており、重量の大きい照明器具２でも取り付けることが可能になっている。
【００４１】
（第３の実施の形態）
本実施形態は、図１８ないし図２５に示すように、第２の実施の形態における構成に、平板状の差込栓刃を有したプラグが接続されるコンセントを付加したものである。基本的な構成は第２の実施の形態と同様であるから、第２の実施の形態と共通する構成については説明を省略し、以下では主な相違点についてのみ説明する。なお、図中において第１、第２の実施の形態と同じ部材には同符号を付してある。
【００４２】
本実施形態における第２の実施の形態との主な相違点は、ボディ１１３の底壁の中央部に平板状の差込栓刃を挿入するための一対の差込栓刃挿入口１８３が開口し、端子板２０３にも差込栓刃が接続される差込刃受部２１３が形成されている点である。また、ボディ１１３の底壁中央部に栓刃挿入櫛１８３が形成されることによって、第２の実施の形態に比較すると鎖錠ばね３２をボディ１１３の外周側に位置させてあり、仕切壁１６３の寸法が相違するとともに、第２の実施の形態とは異なる形状の端子板２０３を収納するために、端子カバー１２３の中央部に上方に突出する端子板収納部１２３ｃを設けている点などに相違がある。
【００４３】
さらに具体的に説明する。端子板２０３は、互いに対向する一対の端子片２０３ａを備え、各端子片２０３ａにはそれぞれ接続片２０３ｇ、２０３ｈが一体に連続している。一方の接続片２０３ｇは下方に開放されたコ字状に形成され、他方の接続片２０３ｈは逆Ｌ字状に形成され、接続片２０３ｇの一方の脚片と接続片２０３ｈとの下端縁同士は連結片２０３ｃを介して接続されている。また、各接続片２０３ｇ，２０３ｈにはそれぞれ刃受ばね２０３ｆが連続し、両刃受ばね２０３ｆによって差込刃受部２１３が形成されている。各刃受ばね２０３ｆは互いに対向して配置され上下の中間部で互いに近付き下端部は下方ほど互いの距離を広げる形状に形成されている。この形状により下端側から導入される差込栓刃を両ばね片２０３ｆ間に導入しやすくし、かつ差込栓刃を挟持する力を大きくとって接触抵抗を小さくするようになっている。
【００４４】
上述した形状の差込刃受部２１３を設けていることによって、端子板２０３は第２の実施の形態の端子板２０２に比較すると上下方向の高さ寸法が大きくなる。そこで、端子カバー１２３の中央部に端子板収納部１２３ｃを突設することによって、端子板２０３をボディ１１３と端子カバー１２３との間に収納可能としてある。他の構成および動作は第２の実施の形態と同様である。
【００４５】
（第４の実施の形態）
本実施形態は、図２６ないし図３６に示すように、第２の実施の形態に対して形状の異なるボディ１１４を用い、かつボディ１１４に取付金具４０４を取り付けたものである。基本的な構成は第２の実施の形態と同様であるから、第２の実施の形態と共通する構成については説明を省略し、以下では主な相違点についてのみ説明する。なお、図中において第１、第２、第３の実施の形態と同じ部材には同符号を付してある。
【００４６】
ボディ１１４は第２の実施の形態におけるボディ１１２の周壁の上部の直径を広げて覆い部１１４ｂを形成した形状を有している。覆い部１１４ｂはボディ１１４の下部である収納部１１４ｃの上縁から鍔状に延設され、さらに外周部が上方に立ち上がる形状に形成されている。また、ボディ１１４には挿通孔１５を設けておらず、したがって端子カバー１２４も切欠１２２ａは不要になっている。第２の実施の形態とはやや異なる形状になるが基本的な形状は同様である。また、覆い部１１４ｂの上端部の２箇所には固定用切欠１１４ｄが形成され、取付金具４０４に設けた耳部４０４ａが固定用切欠１１４ｄに挿入されることによって取付金具４０４がボディ１１４に対して位置決めされるようになっている。取付金具４０４はねじ孔であるボディ取付孔４１４を有し、ボディ１１４の挿通孔１１４ｅに挿通されてボディ取付孔４１４に螺合する取付ねじ４２４によりボディ１１４に結合される。
【００４７】
ところで、取付金具４０４は円板状に形成され、中央部には電線挿入口３３２や解除釦３１を露出させる開口窓４３４が形成されている。また、中央窓４３４の周囲の４箇所には取付金具４０４の周方向に沿った弧状の取付孔４４４が形成されている。各取付孔４４４は取付金具４０４の上面の中心から見て左端が大径に形成された、いわゆるだるま孔状となっている。したがって、施工時には相手側部材にねじを緩く締めた状態とし、ねじの頭部を大径部に通した後に取付金具４０４を回転させ、その後、ねじを締め付けるようにすれば、取付金具４０４を相手側部材に固定することができる。ここで、直径方向に離れた取付孔４４４間の距離はスイッチボックスのような埋込ボックス４５４（図３５、図３６参照）に設けた一対の舌片４５４ａ間の距離に合わせてある。つまり、この種の埋込ボックス４５４は配線器具用として提供されている規格品であって、舌片４５４ａにおいてボックスねじ４６４を螺合させる部位のピッチＷは６６．７ｍｍに設定されている。そこで、直径方向における一対の取付孔４４４間のピッチも６６．７ｍｍに設定される。
【００４８】
以上のように構成されているから、図３５、図３６に示すように、天井に埋込ボックス４５４が設けられているときには、取付金具４０４をボックスねじ４６４により埋込ボックス４５４に取り付けた後に、外部電線Ｌを結線し、次に、取付金具４０４の耳部４０４ａにボディ１１４の固定用切欠１１４ｄを一致させて位置決めし、取付ねじ４２４を用いてボディ１１４を取付金具４０４に固定すればよい。ここで、ボディ１１４における覆い部１１４ｂはボックスねじ４４や埋込ボックス４５４を覆うことができる寸法に形成されている。具体的には覆い部１１４ｂの上端の直径ｓが９５ｍｍに設定されている。
【００４９】
天井に直付けする場合には、ボディ１１４に固定ねじを挿通するのではなく、図３４に示すように取付金具４０４の取付孔４４４を通して固定ねじ４７４を天井に螺合させる。
ところで、図３２に示すように、本実施形態ではボディ１１４の上端縁から端子カバー１２４の上面までの距離ｄは６ｍｍ以上になるように設定されている。したがって、このように寸法を設定すれば、端子と取付金具４０４との距離を６ｍｍ以上に保つことができ、金属の蓋と充電部との距離を６ｍｍ以上とするという電気用品法の規定を満足することができる。ここで、取付金具４０４の耳部４０４ａが固定用切欠１１４ｄに挿入されているから、取付金具４０４の厚み分だけ取付金具４０４と端子カバー１２４の上面との距離は近くなるが、端子の充電部は端子カバー１２４の厚み分だけ下方に位置しているから、取付金具４０４と端子とを６ｍｍ以上引き離すことができる。本実施形態における他の構成は第２の実施の形態と同様である。
【００５０】
（第５の実施の形態）
本実施形態は、図３７ないし図４７に示すように、第３の実施の形態に対して第４の実施の形態と類似した形状のボディ１１５を用いるとともに、第４の実施の形態と同様の取付金具４０４を適用したものである。つまり、平板状の差込栓刃を接続することができ、かつ第４の実施の形態と同様に埋込ボックス４５４に取り付けることができる。基本的な構成は第３、第４の実施の形態と同様であるから、共通する構成については説明を省略し、以下では主な相違点についてのみ説明する。なお、図中において第１、第２、第３、第４の実施の形態と同じ部材には同符号を付してある。
【００５１】
本実施形態においては、差込栓刃に対応するために、第３の実施の形態と同様に、端子カバー１２５に端子収納部１２５ｃが設けられる。また、ボディ１１５の内部の寸法は第４の実施の形態とは異なっているが、差込栓刃に対応させるための構成を除いて第４の実施の形態と同様の構成を有する。つまり、ボディ１１５には覆い部１１５ｂと収納部１１５ｃとが設けられ、埋込ボックス４５４に取り付けることができるようにしてある。天井に取り付ける施工方法は第４の実施の形態と同様であり、同様の機能を有する。
【図面の簡単な説明】
【００５２】
【図１】本発明の第１の実施の形態を示し、（ａ）は照明器具の結合前の側面図、（ｂ）は照明器具の結合後の側面図である。
【図２】同上の分解斜視図である。
【図３】同上の下面図である。
【図４】同上の平面図である。
【図５】同上の側面図である。
【図６】同上の端子カバーを外した平面図である。
【図７】同上の縦断面図である。
【図８】同上の外部電線を接続した状態の縦断面図である。
【図９】同上の下面側の斜視図である。
【図１０】同上の照明器具を結合した状態の縦断面図である。
【図１１】本発明の第２の実施の形態を示す分解斜視図である。
【図１２】同上の下面図である。
【図１３】同上の平面図である。
【図１４】同上の端子カバーを外した平面図である。
【図１５】同上の縦断面図である。
【図１６】同上の外部電線を接続した状態の縦断面図である。
【図１７】同上の照明器具を結合した状態の縦断面図である。
【図１８】本発明の第３の実施の形態を示す分解斜視図である。
【図１９】同上の下面図である。
【図２０】同上の平面図である。
【図２１】同上の端子カバーを外した平面図である。
【図２２】同上の縦断面図である。
【図２３】同上の外部電線を接続した状態の縦断面図である。
【図２４】同上の下面側の斜視図である。
【図２５】同上の照明器具を結合した状態の縦断面図である。
【図２６】本発明の第４の実施の形態を示す分解斜視図である。
【図２７】同上の下面図である。
【図２８】同上の平面図である。
【図２９】同上の側面図である。
【図３０】同上の取付金具を外した平面図である。
【図３１】同上の端子カバーを外した平面図である。
【図３２】同上の縦断面図である。
【図３３】同上の下面側の斜視図である。
【図３４】同上を埋込ボックスを用いずに取り付け外部電線を接続した状態の縦断面図である。
【図３５】同上を埋込ボックスを用いて取り付け外部電線を接続した状態の縦断面図である。
【図３６】同上の照明器具を結合した状態の縦断面図である。
【図３７】本発明の第５の実施の形態を示す分解斜視図である。
【図３８】同上の下面図である。
【図３９】同上の平面図である。
【図４０】同上の側面図である。
【図４１】同上の取付金具を外した平面図である。
【図４２】同上の端子カバーを外した平面図である。
【図４３】同上の縦断面図である。
【図４４】同上の下面側の斜視図である。
【図４５】同上を埋込ボックスを用いずに取り付け外部電線を接続した状態の縦断面図である。
【図４６】同上を埋込ボックスを用いて取り付け外部電線を接続した状態の縦断面図である。
【図４７】同上の照明器具を結合した状態の縦断面図である。
【図４８】従来例を示す断面図である。
【図４９】同上を示し、（ａ）は照明器具の結合前の側面図、（ｂ）は照明器具の結合後の側面図である。
【図５０】他の従来例の要部断面図である。
【符号の説明】
【００５３】
１  引掛シーリング  
２  照明器具
９  スライド部材
１０  鍔状片
１１  ボディ
１１２〜１１５  ボディ
１１４ｂ，１１５ｂ  覆い部
１８３  差込栓刃挿入口
１９  引掛栓刃挿入口
２０  端子板
２０２，２０３  端子板
２２  引掛刃受部
２２２  引掛刃受部
４０４  取付金具
４５４  埋込ボックス
Ｃ  天井面
Ｌ  外部電線
【図１】
2006032368.tif 000003
【図２】
2006032368.tif 000004
【図３】
2006032368.tif 000005
【図４】
2006032368.tif 000006
【図５】
2006032368.tif 000007
【図６】
2006032368.tif 000008
【図７】
2006032368.tif 000009
【図８】
2006032368.tif 000010
【図９】
2006032368.tif 000011
【図１０】
2006032368.tif 000012
【図１１】
2006032368.tif 000013
【図１２】
2006032368.tif 000014
【図１３】
2006032368.tif 000015
【図１４】
2006032368.tif 000016
【図１５】
2006032368.tif 000017
【図１６】
2006032368.tif 000018
【図１７】
2006032368.tif 000019
【図１８】
2006032368.tif 000020
【図１９】
2006032368.tif 000021
【図２０】
2006032368.tif 000022
【図２１】
2006032368.tif 000023
【図２２】
2006032368.tif 000024
【図２３】
2006032368.tif 000025
【図２４】
2006032368.tif 000026
【図２５】
2006032368.tif 000027
【図２６】
2006032368.tif 000028
【図２７】
2006032368.tif 000029
【図２８】
2006032368.tif 000030
【図２９】
2006032368.tif 000031
【図３０】
2006032368.tif 000032
【図３１】
2006032368.tif 000033
【図３２】
2006032368.tif 000034
【図３３】
2006032368.tif 000035
【図３４】
2006032368.tif 000036
【図３５】
2006032368.tif 000037
【図３６】
2006032368.tif 000038
【図３７】
2006032368.tif 000039
【図３８】
2006032368.tif 000040
【図３９】
2006032368.tif 000041
【図４０】
2006032368.tif 000042
【図４１】
2006032368.tif 000043
【図４２】
2006032368.tif 000044
【図４３】
2006032368.tif 000045
【図４４】
2006032368.tif 000046
【図４５】
2006032368.tif 000047
【図４６】
2006032368.tif 000048
【図４７】
2006032368.tif 000049
【図４８】
2006032368.tif 000050
【図４９】
2006032368.tif 000051
【図５０】
2006032368.tif 000052